(57)【要約】      （修正有）【課題】筆記具に取り付けて販売できるとともに、従来と同様に筆記具と別体での販売もできるため、販売方法の選択性が高く、店頭でユーザーや店員が好みの消耗パーツを選んで筆記具に取り付けることができる筆記具用消耗パーツ収容体と、それを用いた筆記具セットを提供する。【解決手段】筆記具５を構成する交換可能な消耗パーツ４を包装材２に収容してなる収容体１であって、包装材２が筆記具外側に着脱可能な取付部３を有し、取付部３が、縦方向に形成される複数の孔部又はスリット部からなる。筆記具用消耗パーツ収容体１と、収容体１の取付部３が着脱可能な外装８を有する筆記具５とからなる筆記具セットである。【選択図】図３
0003188109.tif 000002
【実用新案登録請求の範囲】
【請求項１】
筆記具を構成する交換可能な消耗パーツを包装材に収容してなる収容体であって、前記包装材が筆記具外側に着脱可能な取付部を有する筆記具用消耗パーツ収容体。
【請求項２】
前記取付部が、縦方向に形成される複数の孔部又はスリット部である請求項１記載の筆記具用消耗パーツ収容体。
【請求項３】
前記孔部又はスリット部が消耗パーツの軸線から離れた位置に形成される請求項２記載の筆記具用消耗パーツ収容体。
【請求項４】
前記包装材が、軟質樹脂シートからなる請求項１乃至３のいずれかに記載の筆記具用消耗パーツ収容体。
【請求項５】
前記軟質樹脂シートは、収容する消耗パーツの外周が接着されており、前記接着部分に取付部が形成されてなる請求項４記載の筆記具用消耗パーツ収容体。
【請求項６】
前記消耗パーツが、レフィル、インキカートリッジ、補充用インキ、チップ、消しゴム、摩擦体、筆記芯、グリップのいずれかである請求項１乃至５のいずれかに記載の筆記具用消耗パーツ収容体。
【請求項７】
前記請求項１乃至６のいずれかに記載の筆記具用消耗パーツ収容体と、前記収容体の取付部が着脱可能な外装を有する筆記具とからなる筆記具セット。
【請求項８】
前記筆記具がクリップを有し、前記クリップに取付部が着脱可能である請求項７記載の筆記具セット。
【請求項９】
前記クリップの基部から係止突起上端までの距離Ｌと、複数孔部間の最長距離Ｍとが、Ｌ＞Ｍである請求項８記載の筆記具セット。
【請求項１０】
前記筆記具が、筆記具用消耗パーツ収容体に収容される消耗パーツを内蔵していない状態である請求項７乃至９のいずれかに記載の筆記具セット。
【請求項１１】
前記筆記具がインキ流量調整部材を備えた直液式筆記具であり、消耗パーツがインキカートリッジである請求項７乃至１０のいずれかに記載の筆記具セット。
【請求項１２】
複数の筆記具用消耗パーツ収容体と、複数の筆記具とからなる請求項７乃至１１のいずれかに記載の筆記具セット。
【請求項１３】
筆記具を構成する交換可能な消耗パーツを包装材に複数個収容してなる筆記具用消耗パーツ収容体が複数個と、前記消耗パーツが装着されていない筆記具の複数個とが陳列されてなる筆記具セット。
【請求項１４】
前記筆記具がインキ流量調整部材を備えた直液式筆記具であり、前記消耗パーツが、チップ、インキカートリッジのいずれかである請求項１３記載の筆記具セット。
【考案の詳細な説明】
【技術分野】
【０００１】
本考案は、筆記具用消耗パーツ収容体と筆記具セットに関する。更には、筆記具の外側に取付可能な筆記具用消耗パーツ収容体と、収容体内の消耗パーツが内蔵可能な筆記具とのセットに関する。
【背景技術】
【０００２】
従来、筆記具本体に着脱交換可能に構成されるインキカートリッジやレフィル、チップ等の消耗パーツは、インキを使い切った際に交換したり、チップ摩耗により筆跡が太くなった際に交換することで、再び良好に筆記できる状態となる経済性に優れたものである。
そのため、前記消耗パーツは様々な包装材に収容され単体で販売されており、店頭では、フィルム包装された形態で陳列用什器等のケース内に収納陳列されたり、ヘッダ付のセリース袋に収容されて吊り下げ陳列されている（例えば特許文献１，２参照）。
これとは別に、近年では、ユーザーが所望のインキ色を選択できる筆記具が販売されており、筆記具本体と消耗パーツであるレフィルが別売されている。前記レフィルはヘッダ付セリース袋や樹脂製筒体に収容され、筆記具本体とともに陳列台（什器）に吊り下げ陳列、収納陳列されている（例えば特許文献３，４参照）。
前記消耗パーツの収容体はいずれも筆記具本体とは別体で販売されるものであるため、対応する筆記具に取り付けることができない構成であった。そのため、ユーザーにとっては対応する組み合わせが分かり難いものであった。
【０００３】
また、吊り下げ陳列用の収容体として、ブリスターパックやヘッダ付セリース袋に筆記具本体と消耗パーツを同梱する収容体が開示されている（例えば特許文献５，６参照）。
前記形態は対応する消耗パーツが筆記具本体と一緒に販売されるものであるため、対応する組み合わせを考えることなく購入できるものであるが、この場合、店頭でユーザーや店員が所望の消耗パーツを選択できないものである。また、収容する消耗パーツに応じて専用のパッケージが必要となるためコスト高となる。
【先行技術文献】
【特許文献】
【０００４】
【特許文献１】実開平８−７４３号公報
【特許文献２】特開２００８−２４７４５２号公報
【特許文献３】特開２００７−４５１３９号公報
【特許文献４】特開２０１０−１２０６８４号公報
【特許文献５】実公昭４６−１７１３９号公報
【特許文献６】実開昭６４−１７９７９号公報
【考案の概要】
【考案が解決しようとする課題】
【０００５】
本考案は、筆記具に取り付けて販売できるとともに、従来と同様に筆記具と別体での販売もできるため、販売方法の選択性が高く、店頭でユーザーや店員が好みの消耗パーツを選んで筆記具に取り付けることができる筆記具用消耗パーツ収容体と、それを用いた筆記具セットを提供するものである。
【課題を解決するための手段】
【０００６】
本考案は、筆記具を構成する交換可能な消耗パーツを包装材に収容してなる収容体であって、前記包装材が筆記具外側に着脱可能な取付部を有する筆記具用消耗パーツ収容体を要件とする。
更に、前記取付部が、縦方向に形成される複数の孔部又はスリット部であること、前記孔部又はスリット部が消耗パーツの軸線から離れた位置に形成されること、前記包装材が、軟質樹脂シートからなること、前記軟質樹脂シートは、収容する消耗パーツの外周が接着されており、前記接着部分に取付部が形成されてなること、前記消耗パーツが、レフィル、インキカートリッジ、補充用インキ、チップ、消しゴム、摩擦体、筆記芯、グリップのいずれかであることを要件とする。
更には、前記いずれかに記載の筆記具用消耗パーツ収容体と、前記収容体の取付部が着脱可能な外装を有する筆記具とからなる筆記具セットを要件とする。
更に、前記筆記具がクリップを有し、前記クリップに取付部が着脱可能であること、前記クリップの基部から係止突起上端までの距離Ｌと、複数孔部間の最長距離Ｍとが、Ｌ＞Ｍであること、前記筆記具が、筆記具用消耗パーツ収容体に収容される消耗パーツを内蔵していない状態であること、前記筆記具がインキ流量調整部材を備えた直液式筆記具であり、消耗パーツがインキカートリッジであること、複数の筆記具用消耗パーツ収容体と、複数の筆記具とからなることを要件とする。
更には、筆記具を構成する交換可能な消耗パーツを包装材に複数個収容してなる筆記具用消耗パーツ収容体が複数個と、前記消耗パーツが装着されていない筆記具の複数個とが陳列されてなる筆記具セットを要件とし、前記筆記具がインキ流量調整部材を備えた直液式筆記具であり、前記消耗パーツが、チップ、インキカートリッジのいずれかであることを要件とする。
尚、本考案において「上」とは、インキカートリッジにおける開口端側、筆記具におけるクリップ配置側のいずれかを示し、「下」とは、インキカートリッジにおける閉鎖端側、キャップ式筆記具における尾栓側又は出没式筆記具におけるペン先側を示す。
【考案の効果】
【０００７】
本考案により、消耗パーツを従来と同様に筆記具本体と別体で販売できるとともに、筆記具本体に取り付けて販売することも可能となるため、安価な構成で多彩な販売方法に対応できる陳列選択性に富んだ収容体となる。
また、店頭でユーザーや店員が好みの消耗パーツ収容体を選んで筆記具外側に容易に取り付けることができるため、収容体を景品やサンプルとして添付する際により有用なものとなる。その際、取付部を縦方向に形成される複数の孔部やスリット部で形成することで、筆記具本体と包装材の双方に形状変更や部品追加等の特別な加工を施すことなく、取付時の脱落を効果的に抑制できるとともに、筆記具に対して収容体が傾くことなく位置決めされるため見栄えの良いものとなる。
更に、筆記具がクリップを有する場合には、クリップの基部から係止突起上端までの距離Ｌと複数孔部（スリット部）間の最長距離ＭとをＬ＞Ｍとすることで、クリップに収容体を取り付けた際により脱落し難いものとなる。
【図面の簡単な説明】
【０００８】
【図１】本考案の筆記具用消耗パーツ収容体の外観図である。
【図２】図１の消耗パーツが適用可能な筆記具のクリップ横向き状態の外観図である。
【図３】図１の筆記具用消耗パーツ収容体を筆記具に取り付けた状態の外観図である。
【図４】他の例の筆記具用消耗パーツ収容体を筆記具に取り付けた状態を表す図である。
【図５】Ａ）図４の蓋体のＤ−Ｄ′断面図と、Ｂ）他の形態の断面図である。
【考案を実施するための形態】
【０００９】
本考案の筆記具用消耗パーツ収容体は、筆記具を構成する交換可能な消耗パーツを包装材内に収容する収容体であり、前記包装材が筆記具外側に着脱可能な取付部を有するものである。前記取付部を設けることで、従来と同様の販売方法に対応できるとともに、取付部を用いて筆記具本体に着脱可能となるため、店頭で店員やユーザーが好みの収容体を筆記具本体の外側に容易に取り付けて販売や購入ができるものとなる。
【００１０】
前記取付部としては、筆記具の外装である軸筒、グリップ、キャップ、クリップ、頭冠、尾栓、出没式筆記具のスライド部や押圧部等の外側部材に着脱自在に取り付けることができるものであればどのような形状、材質であってもよく、包装材と一体に形成される他、別体で形成したものを装着して使用することもできる。
前記取付部として、例えば、１個又は複数の孔部やスリット部、被覆可能な袋状部、挟持可能なＣ字状部等の挟持片、筆記具外面と凹凸嵌合できる形状、磁着可能な磁性体等が挙げられ、包装材の材質や筆記具の形状、材質に応じて適宜適用される。
【００１１】
前記包装材としては、アルミシートや樹脂シートを用いた袋体（セリース形態や厚紙等の支持基材を同梱したものでもよい）、箱体（特に収容部外側にヘッダを有するもの）、ブリスターパック形態、筒状やカプセル状等の樹脂成形体、樹脂板や厚紙に複数のスリットを形成した支持台等が適用できる。
特に、前記袋体や箱体等で、材質が軟質シートや厚紙から形成されている場合、取付部として複数の孔部やスリット部を縦方向に連続して形成することが好ましい。前記取付部はシートや厚紙に対して孔開けや切込形成により容易に設けることができるため、収容体製造時のコストを抑えて有用な効果を発現することができる。また、前記孔部やスリット部は、筆記具本体の取付位置（クリップ、軸筒、押圧ノブ等）に応じて大きさを容易に設定できるため、変更等にも低コストで対応できる。
【００１２】
尚、前記孔部やスリット部は、消耗パーツの軸線から離れた位置（即ち、消耗パーツが封入される収容部の側部）に形成することが好ましい。これにより、消耗パーツ収容体を筆記具に取り付けた際、消耗パーツ（収容部）が筆記具本体と並設（添設）されるため、販売時にケース等に筆記具を立設させた状態であっても嵩張ることなく、添設物の視認性を高めることができる。
また、前記孔部やスリット部を樹脂シート製の袋状包装材に形成する場合、収容部外周に表裏両面を接着材貼着や熱融着により接着した接着部を設け、該接着部に形成することが好ましい。前記接着部はシート単体に比べて強度が大きく向上するため、孔部やスリット部が切れ難くなり、より安定した取付状態が維持できる。
【００１３】
前記包装材に収容される消耗パーツは、交換可能に着脱される筆記具を構成する部品であり、例えば、レフィル、直液式や中詰式のインキカートリッジ、ボールペンやサインペン等のチップ、スポイト等に収容される補充用インキ、消しゴム、摩擦体、シャープペンシルや固形筆記材等の筆記芯、グリップ（前軸と一体化されたものを含む）等のいずれか一種以上であり、１個又は２個以上で収容されている。尚、前記消耗パーツは、取付部を有しない包装材に収容したものであってもよい。
【００１４】
前記筆記具用消耗パーツ収容体は、収容する消耗パーツが装着（内蔵）可能であり、前記収容体の取付部が着脱可能な外装を有する筆記具とともに用いて筆記具セットとすることができる。
前記筆記具としては、繊維チップ、フェルトチップ、プラスチックチップ、ボールペンチップ、万年筆型金属チップ等をペン先に備えたマーキングペンやボールペン、シャープペンシル、クレヨン等の固形筆記材を用いた固形描画具等、汎用の筆記具が適用できる。また、前記筆記具の形態としては、キャップ式形態の他、押圧式やスライド式や回転繰り出し式等の出没式形態が挙げられ、両頭式や複合式等、複数の筆記先端を有するものも適用できる。
【００１５】
尚、筆記具用消耗パーツ収容体が取り付けられる筆記具は、収容体内に収容される消耗パーツを（装着）内蔵していない状態であってもよい。この場合、ユーザーが好みの筆記具本体と消耗パーツ（外観色、インキ色、チップ形状等）を選択してオリジナル筆記具を構成できる。
特に、複数の櫛歯からなるインキ保溜部を備えた樹脂成形体（ペン芯）等のインキ流量調整部材を内蔵するインキカートリッジ式の筆記具においては、保管時や店頭陳列時の環境温度変化に伴う内圧変化によって、インキが保溜部に流入し見栄えを損ねる虞があるため、別体（非内蔵状態）で設けることが好ましい。また、インキカートリッジ式筆記具においてインキカートリッジを別体とすることで、ユーザーが購入後に新品のカートリッジを接続して使用状態とすることができるため、オリジナルの使用感が高いものとなる。
【００１６】
また、前記筆記具が係止突起を有するクリップを備え、該クリップに収容体の取付部（孔部やスリット部）が着脱可能である場合、前記クリップの基部から係止突起上端までの距離Ｌに対して、複数孔部（スリット部）間の最長距離Ｍが、Ｌ＞Ｍとなるように形成することが好ましい。前記距離関係とすることで、収容体（取付部）がクリップ（係止突起上端より上方）で常時保持されるため、より脱落し難く、傾動し難いものとなる。
【００１７】
更に、前記筆記具（消耗パーツを内蔵又は非内蔵のもの）を複数個と、別体又は取付状態の筆記具用消耗パーツ収容体複数個とを什器等の陳列台に陳列する筆記具セットとして用いることができる。前記陳列セットとした場合、ユーザーが店頭で購入する際、好みの筆記具と、好みの消耗パーツとを選択し、組み合わせて購入することが容易にできる。特に、消耗パーツ収容体が景品やサンプルの場合、什器に筆記具と別体で載置された好みの収容体を筆記具購入時に選択し、筆記具に取り付けて購入することが可能となるため、店員が筆記具に取り付ける手間を省くとともに、ユーザーが好みの収容体を得ることができる。
【００１８】
前記消耗パーツとこれを着脱可能に内蔵する筆記具においては、筆記具を構成する交換可能な消耗パーツを包装材に複数個収容した筆記具用消耗パーツ収容体と、前記消耗パーツが装着されていない筆記具とをいずれも複数個ずつ什器等の陳列台に陳列した筆記具セットとすることができる。
尚、前記収容体に収容される消耗パーツは、複数種類（インキ色別カートリッジやカートリッジとチップ等の種類別）が同一の収容体に封入されていてもよい。
また、収容体は単一のものに限らず、同一の消耗パーツを複数個封入した収容体を複数種類（インキ色別カートリッジやチップ等）用いてもよい。
更に、陳列される筆記具としても複数種類（外装色別やチップ種類別等）のものを適用できる。
特に、前記筆記具としてインキ流量調整部材を備えた直液式筆記具を用いた場合、消耗パーツが比較的小さなチップやインキカートリッジとなるため、消耗パーツを縦方向に連続して収容した場合であっても大きくならず、複数の収容体をケースに縦立することができる。また、保管時や店頭陳列時の環境温度変化に伴う内圧変化によってインキが流量調整部材に流入して見栄えを損ねることを回避できる。
【実施例】
【００１９】
本考案の実施例を図１乃至５に従って説明する。
図１乃至３は、本考案の筆記具用消耗パーツ収容体１と筆記具セットの第一の実施例を説明する図である。
【００２０】
図１は第一の筆記具用消耗パーツ収容体１の外観図である。
図１の筆記具用消耗パーツ収容体１では、消耗パーツとしてインキカートリッジ４を包装材２に一本収容するものであるが、同一の製品を複数本収容したものや、二種類以上の消耗パーツを一緒に収容することも可能である。
前記包装材２は、一枚のポリプロピレンフィルムを折り曲げて背面フィルムと前面フィルムとし、上辺及び左右辺を熱融着することで接着部２２を形成し、非接着部分を収容部２１とする下辺開口袋状が形成される。更に、インキカートリッジ４を栓体４２側から収容した後、下辺開口部を熱融着することで封鎖され、収容状態となる。前記状態では、インキカートリッジ４が収容部２１内に密封されるため、カートリッジ内のインキ４３が不用意に漏れた場合であっても、インキを収容部２１内に留めることができ、周囲の汚損を抑制できる。
また、収容部２１にインキカートリッジ４とともに厚紙や樹脂板等を収容することで強度を上げることもできる。
尚、収容部２１は内部が視認可能な透明フィルムで構成されており、収容されるカートリッジ４を外部から確認できる。
【００２１】
前記包装材２の左辺側接着部の上方には、３個の孔部が縦方向に等間隔に開けられており、簡易な構造で取付部３を構成している。尚、上の孔部から下の孔部までの最長距離をＭとする。特に、取付部３が接着部２２に形成されるため、より強度の高い構造となっている。尚、前記孔部は２個以上で取付部３を構成することが好ましいが、クリップ８や軸筒６等の取付箇所を縫うように前後方向から順に挿入した際、高い取付強度を得るために３個以上とすることがより好ましい。また、前記孔部の大きさは、取付箇所となる筆記具部材の外径に応じて適宜調整される。
また、前記取付部３の下方及びカートリッジ４の上方となる位置は広告部２３として使用されており、商品名やインキ色、注意書き（説明）等の情報が印字されている。
前記構成から、筆記具用消耗パーツ収容体１は単体での販売や景品としての配布に適したものとなっている。
【００２２】
前記収容部２１内に収容されるインキカートリッジ４は、インキ４３を直接内蔵する容器４１と、開口部を密栓する栓体４２から構成される。
具体的には、上端が開口され且つ下端が閉鎖された内径６ｍｍの有底円筒体（上方開口部が筆記具に接続され、下方がインキ収容部となる）からなり、透明な合成樹脂（例えばポリプロピレン）の射出成形により得られる。また、前記インキ収容部には、水性インキが収容されている。
前記開口部に設けられる栓体４２は、収容するインキ色に着色された合成樹脂（例えばポリプロピレン）の円盤形射出成形物であり、開口部内で気密嵌合できる大きさに設定されている。また、筆記具取付時には押圧開放される。
【００２３】
図２は前記筆記具用消耗パーツ収容体１に収容されるカートリッジ４が内蔵可能な筆記具５である。
前記筆記具５は、繊維チップをクリップ付キャップ７で被覆し、複数の櫛歯からなるインキ保溜部（インキ流量調整部材）を内蔵するインキカートリッジ交換式のマーキングペンであり、インキカートリッジ４を内蔵していない状態のものである。前記カートリッジ４は、先端にチップを備えインキ保溜部を内蔵する本体に螺着される軸筒６を外した後、開口端側を本体後端に接続することで取り付けられる。
尚、前記筆記具５のペン先としては、ボールペンチップ、万年筆形態の金属ペン先や、筆ペン形態のポーラスペン先を用いたものであってもよく、これらのチップを有する複数種の筆記具と、前記筆記具用消耗パーツ収容体１の複数種（インキ色別や交換用チップ等を収容）とを一緒に什器に陳列して筆記具セットとすることができる。前記陳列セットとした場合、ユーザーが店頭で購入する際、好みの筆記具５と、好みの消耗パーツ（筆記具用消耗パーツ収容体１）とを適宜選択し、組み合わせて購入することが容易にできる。
また、前記クリップ８は、キャップ７から延設されており、接触端である基部８２から先端近傍の係止突起８１の上端までの距離をＬとする。
【００２４】
図３は前記筆記具５に筆記具用消耗パーツ収容体１を取り付けた状態である。
取付部３が取り付けられるクリップ８の基部８２から係止突起８１上端までの距離Ｌに対して、取付部３を構成する孔部間の最長距離Ｍが短くなるように設定されているため、クリップ８によって取付部３が確実に保持される。また、孔部を３個設けることで、取付時にクリップ８が包装材２を縫うように上方孔部から表裏順番に挿入され、包装材２が波状になって保持される。そのため、クリップ８と包装材２との接触箇所が増加するため、より強固に保持され、更に脱落し難いものとなる。
更に、前記保持状態では、筆記具用消耗パーツ収容体１が筆記具５（クリップ８）に対して前後方向、左右方向に傾動することがなくなるため、初期の取付状態を長期に亘って維持できるものとなる。
【００２５】
図４、５は、本考案の筆記具用消耗パーツ収容体１と筆記具セットの第二の実施例を説明する図である。
筆記具用消耗パーツ収容体１は、消耗パーツとしてボールペンレフィル４′を収容しており、包装材２として円筒状の樹脂成形体を適用している。
前記包装材２は、筒体の内部を収容部２１として下端を封鎖するパイプ状容器２４と、開口部（上端）に一部分を圧入嵌合して封鎖する蓋体２５からなり、該蓋体２５には、略Ｃ字状（クリップ８の厚みに対応した大きさで一部分を開放する環状樹脂成形体で内面が軸方向のテーパー状である）の挟持片形態の取付部３が一体成形により延設されている（図５Ａ参照）。前記パイプ状容器２４は略透明であり、蓋体２５は収容するボールペンレフィル４′のインキ色に着色されており、いずれもＰＰ樹脂による成形物である。
尚、図４においては取付部３が蓋体２５と一体成形されることで設けられているが、前記蓋体２５や容器２４を挟持等の手段により接続できる構成として別体で構成されるものを用いることもできる。例えば、蓋体２５を挟持するための収容体用挟持片３１が取付部３から延設される樹脂成形体が例示できる（図５Ｂ参照）。前記構成において、収容体用挟持片３１は蓋体２５の他、パイプ状容器２４も挟持できるため、筆記具５（クリップ８）に取り付けた際、包装材２の位置を上下方向に可動でき、筆記具８の寸法に応じて調整することが可能である。また、取付部３の挟持片の形状は、軸筒や出没用操作部等、取り付けたい部材の形状に応じて適宜変更できる。
【００２６】
収容されるボールペンレフィル４′は、ＰＰ樹脂等の成形パイプからなるインキ収容管４１′の一端に、ホルダーを介してボールペンチップ４４′が接続されたレフィル外装に、インキ４３′及び液栓４２′を内蔵したものである。
前記ボールペンレフィル４′は、蓋体２５の下端部でボールペンチップ４４′が挟持された状態でパイプ状容器２４の収容部２１に収容される。
【００２７】
前記筆記具５は、消耗パーツであるボールペンレフィルやシャープペンシルユニットを複数本（具体的には４本）内蔵し、スライドレバー９の移動によってペン先を出没させる出没式筆記具であり、図４はボールペンレフィル４′（消耗パーツ）を内蔵していない状態の筆記具外装である。尚、軸筒６外面のクリップ８は前方（係止突起を有する側）がテーパー状に形成されており、該クリップ８もスライドレバーとしての機能を有するため上下方向に可動するように構成されている。
前記ボールペンレフィル４′は、前後二部材の螺合により構成される軸筒６を外した後、ボールペンレフィル４′後端（液栓４２′側）を各スライドレバー９の先端に接続することで取り付けられる。
【００２８】
前記筆記具５のクリップ８に筆記具用消耗パーツ収容体１の取付部３を取り付けて筆記具セットとした際、テーパー状外面を有するクリップ８の係止突起上方を取付部３のテーパー状内面が挟持するため、筆記具用消耗パーツ収容体１が筆記具５に対して前後方向、左右方向に傾動することなく初期の取付状態を長期に亘って維持できる。
【００２９】
尚、前記筆記具５は複数本の消耗パーツを内蔵するものの他、１本のみを内蔵する構造であってもよい。更に、これらの筆記具５（消耗パーツを内蔵したもの及び外装のみのもの）を複数種と、前記筆記具用消耗パーツ収容体１の複数種（インキ色別やシャープペンシルユニット等を収容）とを一緒に什器に陳列して筆記具セットとすることができる。前記陳列セットとした場合、ユーザーが店頭で購入する際、好みの筆記具５と、好みの消耗パーツ（筆記具用消耗パーツ収容体１）とを適宜選択し、組み合わせて購入することが容易にできる。
【符号の説明】
【００３０】
１  筆記具用消耗パーツ収容体
２  包装材
２１  収容部
２２  接着部
２３  広告部
２４  パイプ状容器
２５  蓋体
３  取付部（孔部、Ｃ字状挟持片）
３１  収容体用挟持片
４  インキカートリッジ
４１  容器
４２  栓体
４３  インキ
４′  ボールペンレフィル
４１′  インキ収容管
４２′  液栓
４３′  インキ
４４′  ボールペンチップ
５  筆記具
６  軸筒
７  キャップ
８  クリップ
８１  係止突起
８２  基部
９  スライドレバー
Ｌ  クリップの係止突起上端から基部までの距離
Ｍ  取付部を構成する孔部間の最長距離
【図１】
0003188109.tif 000003
【図２】
0003188109.tif 000004
【図３】
0003188109.tif 000005
【図４】
0003188109.tif 000006
【図５】
0003188109.tif 000007
【手続補正書】
【提出日】平成25年10月23日(2013.10.23)
【手続補正１】
【補正対象書類名】実用新案登録請求の範囲
【補正対象項目名】請求項１３
【補正方法】変更
【補正の内容】
【請求項１３】
筆記具を構成する交換可能な消耗パーツを包装材に複数個収容してなる請求項１記載の筆記具用消耗パーツ収容体が複数個と、前記消耗パーツが装着されていない筆記具の複数個とが陳列されてなる筆記具セット。